(57)【要約】【課題】  安価であってポリエチレン管の保護が確実な補強ポリエチレン管及びその埋設方法を提供する。【解決手段】  補強ポリエチレン管１は、穴３内に敷設されたポリエチレン管１０と、このポリエチレン管１０の外周を覆う防護部２０とを有してなる。補強ポリエチレン管１の埋設方法は、地面Ｊに穴３を掘削し、この穴３内にポリエチレン管１０を敷設し、ポリエチレン管１０の上方からセメント材料を供給してポリエチレン管１０の外周を覆う防護部２０を形成し、防護部２０に固化剤を供給してセメント材料を固化し、防護部２０で覆われた補強ポリエチレン管１の上部に、掘削したときに掘り出された土砂を埋め戻す。セメント材料は、コンクリート廃材を粉体化して再生した再生砂を用いる。【選択図】  図１
2005257044.tif 000002
【特許請求の範囲】
【請求項１】
掘削された穴内に埋設される補強ポリエチレン管であって、
前記穴内に敷設されたポリエチレン管と、
該ポリエチレン管の上方から供給されて前記ポリエチレン管の少なくとも上側面部を覆って固化したセメント材料製の防護部と
を有してなることを特徴とする補強ポリエチレン管。
【請求項２】
前記防護部は着色されていることを特徴とする請求項１に記載の補強ポリエチレン管。
【請求項３】
土中に埋設される補強ポリエチレン管の埋設方法であって、
地面に穴を掘削し、
該穴内にポリエチレン管を敷設し、
該ポリエチレン管の上方からセメント材料を供給して前記ポリエチレン管の少なくとも上側面部を覆う防護部を形成し、
該防護部に水を含む固化剤を供給し、
前記防護部で覆われたポリエチレン管の上部に、掘削したときに掘り出された土砂を埋め戻す
ことを特徴とする補強ポリエチレン管の埋設方法。
【請求項４】
前記セメント材料には着色された粉体が混入されていることを特徴とする請求項３に記載の補強ポリエチレン管の埋設方法。
【発明の詳細な説明】
【技術分野】
【０００１】
本発明は、掘削時に掘削工具等が当接しても損傷しない補強ポリエチレン管及びその埋設方法に関する。
【背景技術】
【０００２】
ポリエチレン管は、耐震性、柔軟性等の特徴を有し、気体等の輸送手段として用いられている。ポリエチレン管は土中に埋設されるが、掘削時に建設機械の掘削工具等が当接してポリエチレン管が損傷する虞があるので、ポリエチレン管１０は、図２（断面図）に示すように、これを埋設するときにポリエチレン管１０の上方位置に防護シート４０を敷設したり（特許文献１参照）、ポリエチレン管の外側に補強シートを巻き付けたりして（特許文献２参照）、ポリエチレン管の保護が図られている。
【０００３】
【特許文献１】特開平７−１６７３７３号公報
【特許文献２】特開２００１−３３０１８１号公報
【発明の開示】
【発明が解決しようとする課題】
【０００４】
しかしながら、ポリエチレン管は防護シートや補強シートで保護されているとはいえ、ポリエチレン管の工事と関係のない他の工事が埋設されたポリエチレン管の近くで行われた場合に、建設機械の掘削工具等が大きな衝撃力で防護シートや補強シートに当接すると、ポリエチレン管が損傷する虞があるという問題が生じる。
【０００５】
また、ポリエチレン管によって輸送される気体の輸送コストを低減するため、輸送される気体の圧力を増大したいという要望があるが、ポリエチレン管を保護する防護シートや補強シートを用いてもポリエチレン管の保護が不十分である現状において、輸送される気体の内部圧力をさらに増大させると、ポリエチレン管が損傷する虞がさらに増大してしまう。そこで、極めて強固な防護シートや補強シートを開発することは可能であるが、コストが増加するという問題が生じる。
【０００６】
本発明は、このような問題に鑑みてなされたものであり、安価であってポリエチレン管の保護が確実な補強ポリエチレン管及びその埋設方法を提供することを目的とする。
【課題を解決するための手段】
【０００７】
このような課題を解決するため、本発明は、掘削された穴内に埋設される補強ポリエチレン管であって、穴内に敷設されたポリエチレン管と、該ポリエチレン管の上方から供給されてポリエチレン管の少なくとも上側面部を覆って固化したセメント材料製の防護部とを有してなることを特徴とする。
【０００８】
この発明によれば、穴内に敷設されたポリエチレン管は、該ポリエチレン管の上方から供給されたセメント材料により形成された防護部により補強されるので、強度が増した補強ポリエチレン管を得ることができる。このため、埋設された補強ポリエチレン管の近くで、ポリエチレン管工事と関係のない他の工事が行われて、建設機械の掘削工具等が大きな衝撃力で補強ポリエチレン管に当接しても、固化したセメント材料製の防護部が衝撃力からポリエチレン管を保護するので、ポリエチレン管が損傷する虞はなく、ポリエチレン管を確実に保護することができる。
【０００９】
また、本発明は、防護部が着色されていることを特徴とする。この発明によれば、防護部が着色されていることにより、埋設された補強ポリエチレン管の工事を行う場合、補強ポリエチレン管の上方に埋められた土砂を掘り起こしているときに、土中に埋められたポリエチレン管の存在を着色された防護部により容易に認識することができる。
【００１０】
また、本発明は、土中に埋設される補強ポリエチレン管の埋設方法であって、地面に穴を掘削し、該穴内にポリエチレン管を敷設し、該ポリエチレン管の上方からセメント材料を供給してポリエチレン管の少なくとも上側面部を覆う防護部を形成し、該防護部に水を含む固化剤を供給し、防護部で覆われたポリエチレン管の上部に、掘削したときに掘り出された土砂を埋め戻すことを特徴とする。
【００１１】
この発明によれば、穴内に敷設したポリエチレン管の上方からセメント材料が供給されてポリエチレン管を覆う防護部を形成し、防護部に固化剤を供給して、防護部で覆われたポリエチレン管の上部に掘り出された土砂を埋め戻すので、ポリエチレン管を埋設する過程において、ポリエチレン管を保護する防護部を容易に形成することができ、補強ポリエチレン管の製造コストを安価にすることができる。また、防護部はセメント材料製であり、これが固化すると強固になるので、ポリエチレン管を確実に保護することができる。さらに、セメント材料は、建築副産物の再利用品であるコンクリート廃材を使用することができるので、安価である。このため、補強ポリエチレン管の埋設工事のコストを安価にすることができる。
【００１２】
また、本発明は、セメント材料は着色された粉体が混入されていることを特徴とする。この発明によれば、セメント材料に着色粉体が混入されているので、補強ポリエチレン管を形成して埋設する過程において、色の付いた防護部を容易に形成することができる。
【発明の効果】
【００１３】
本発明に係わる補強ポリエチレン管によれば、セメント材料によってポリエチレン管を保護するようにしたので、安価であってポリエチレン管の保護が確実な補強ポリエチレン管及びその埋設方法を提供することができる。
【発明を実施するための最良の形態】
【００１４】
以下、本発明に係わる補強ポリエチレン管及びその埋設方法の好ましい実施の形態を図１（断面図）に基づいて説明する。先ず、本発明に係わる補強ポリエチレン管の埋設方法を説明する前に、この埋設方法によって形成される補強ポリエチレン管について説明する。
【００１５】
補強ポリエチレン管１は、図１に示すように、地面Ｊに掘削された穴３内に敷設されたポリエチレン管１０と、このポリエチレン管１０の上方から供給されてポリエチレン管１０の外周を覆って固化したセメント材料製の防護部２０とを有してなる。防護部２０は断面視において矩形状である。防護部２０の材料となるセメント材料は、建築副産物の１つであるコンクリート廃材を粉体化して再生した再生砂が用いられる。このため、防護部２０は安価な材料で形成される。再生砂は主成分がセメントであり、これに水を含んだ固化剤を供給すると、再生砂は固まって少々の建設機械による掘削工具からの衝撃にも負けない強度を発揮する。防護部２０は、再掘削したときに、建設機械の掘削工具が防護部２０に当接してもポリエチレン管１０が損傷する虞がなく、しかも人力により破壊可能な所定の厚さに形成されている。
【００１６】
なお、防護部２０は、ポリエチレン管１０の外周全てを覆うように形成される必要はなく、少なくともポリエチレン管１０の上側面部を覆うように形成されてもよい。つまり、防護部２０は、ポリエチレン管１０の上側面部のみを覆ったり、ポリエチレン管１０の上側面部及び両側面部を覆ったりするように形成されてもよい。
【００１７】
再生砂には特定の１色（例えば、黄色）に着色された粉体（例えば、染料）が混入されている。このため、形成される防護部２０は着色されている。なお、粉体の色は任意の色彩でよく、防護部２０の他の着色方法については後述する。
【００１８】
次に、補強ポリエチレン管１の埋設方法について説明する。先ず、地面Ｊに所定深さの穴３を掘削する。穴３は開口面積の大きな上側穴部３ａと、上側穴部３ａの底部に形成されて上側穴部３ａより開口面積が小さくポリエチレン管１０を敷設可能な下側穴部３ｂを有して形成される。掘り出された砂Ｓ、砕石Ｔ及びアスファルトＡＳは、所定の場所に置いておく。そして、ポリエチレン管１０の外周全てを覆うように、ポリエチレン管１０の上方からセメント材料を供給する。このとき、セメント材料で覆われて形成される防護部２０の厚さは、再掘削時において建設機械の掘削工具が防護部２０に当接してもポリエチレン管１０が損傷せず、且つ人力により破壊可能な所定の厚さにする。ここで、セメント材料には着色（例えば、黄色）された粉体７が予め混入されている。このため、防護部２０は色の付いた状態で形成され、防護部２０の上側面部のみならず、すべての面部が着色された状態になる。なお、防護部２０の着色方法は、後述する固化剤の供給後に、防護部２０の表面に着色粉体を塗ったり吹き付けたりしてもよい。
【００１９】
そして、セメント材料で形成された防護部２０に水を含んだ固化剤を供給する。固化剤が防護部２０に供給されると、セメント材料が徐々に固化して防護部２０の強度を増加させる。そして、防護部２０で覆われたポリエチレン管１０（以下、「補強ポリエチレン管１」と記す。）の上部に、掘削したときに掘り出された砂Ｓ等を埋め戻す。つまり、補強ポリエチレン管１の直上部に砂Ｓを戻し、この砂Ｓの上部に砕石Ｔを戻し、この砕石Ｔの上部に新たにアスファルトＡＳを形成して、補強ポリエチレン管１の埋設工事が完了する。
【００２０】
このように、本発明にかかわる補強ポリエチレン管１の埋設方法は、敷設されたポリエチレン管１０にセメント材料が供給されて、このセメント材料が固化することで、ポリエチレン管１０を保護する防護部２０を形成するので、防護部２０の形成作業が容易である。また、セメント材料はコンクリート廃材を再生した再生砂であるので安価である。このため、ポリエチレン管１０に防護部２０を形成する製造コストを安価にすることができる。また、防護部２０は粉体７により着色されるので、埋設された補強ポリエチレン管１を再掘削する際に、補強ポリエチレン管１の存在を容易に認識することができ、再掘削作業の作業性を向上させることができる。さらに、防護部２０の厚さは、建設機械の掘削工具が防護部２０に当接してもポリエチレン管１０が損傷しない厚さであるので、ポリエチレン管１０の工事と関係のない他の工事が埋設された補強ポリエチレン管１の近くで行われて、建設機械の掘削工具等が補強ポリエチレン管１に当接したとしても、ポリエチレン管１０が損傷する虞はない。また、防護部２０は人力でも破壊可能な厚さに形成されているので、防護部２０を人力で破壊してポリエチレン管１を取り出すことが可能である。
【図面の簡単な説明】
【００２１】
【図１】本発明の一実施の形態に係わる補強ポリエチレン管が埋設された地面の断面図を示す。
【図２】従来のポリエチレン管が埋設された地面の断面図を示す。
【符号の説明】
【００２２】
１  補強ポリエチレン管
３  穴
７  粉体
１０  ポリエチレン管
２０  防護部
Ｊ  地面
【図１】
2005257044.tif 000003
【図２】
2005257044.tif 000004